(57)【要約】【課題】安価な構成で結露水の流出を防止できる空気調和機を提供すること。【解決手段】熱交換器１３と、熱交換器に風を送る送風機１２と、熱交換器１３に対向して前面側に設けられた仕切り板６と、仕切り板６と空間部を挟んで前面に配置された前面パネル５と、熱交換器の下部に凝縮水を受ける露受け皿１５と、を備えた空気調和機であって、仕切り板６の下部が露受け皿１５の内側に入る構造とし、結露水を空気調和機内部に流出させることなく、確実に露受け皿１５に導くことができ、仕切り板６の結露防止断熱部材を廃止または簡略化することができる。これによって、露付き防止設計や露付き試験費用、断熱部材費用および組み立て工数の低減を図ることができ、安価な空気調和機を提供することができる。【選択図】図１
2007071513.tif 000002
【特許請求の範囲】
【請求項１】
熱交換器と、前記熱交換器に風を送る送風機と、前記熱交換器に対向して設けられた仕切り板と、前記熱交換器の下部に凝縮水を受ける露受け皿と、を備えた空気調和機であって、
前記仕切り板は、その下部が前記露受け皿の内側に入り込むように配置され、
前記露受け皿は、前記熱交換器に付着した凝縮水を受けるとともに、前記仕切り板に発生する結露水を受ける
ことを特徴とする空気調和機。
【請求項２】
請求項１において、
前記仕切り板には、前記仕切り板で発生する結露水を前記露受け皿に導くための樋を設けることを特徴とする空気調和機。
【請求項３】
請求項１または２において、
前記仕切り板には結露防止断熱部材を設けないことを特徴とする空気調和機。
【発明の詳細な説明】
【技術分野】
【０００１】
本発明は、結露防止断熱部材を廃止又は簡略化できる仕切り板を備えた空気調和機に関する。
【背景技術】
【０００２】
従来技術における例えば床置き型空気調和機は、一般的に下側吸い込みで正面上側吹き出しの構造であり、熱交換器が空気調和機本体の中央部に位置する。このような空気調和機では、熱交換器により熱交換された空気が吹き出し口まで届く間に、熱交換されていない空気と混入するのを防止するために、熱交換器と吹き出し口の間に風洞の一部として仕切り板を備えている。冷房運転時には仕切り板が冷却され、仕切り板の前面に結露が発生する。そこで、従来技術では、結露防止断熱部材を仕切り板の片側或いは両側に貼り付けるなどして、冷房運転時の仕切り板での結露発生を防止していた。
【０００３】
図３は従来技術における空気調和機の概略構成を示す側面図である（例えば、特許文献１を参照）。図３において、モータ１１の回転により、送風機１２が回転し、室内空気が吸い込み口２より吸入され、熱交換器１３へ吹き付けられ、熱交換された後、吹き出し口３から吹き出される。ここで、高湿条件で冷房運転すると、仕切り板６は熱交換された空気により冷却されるが、仕切り板６の前側の空気は熱交換されていない空気であり高温で高湿であるため、仕切り板６の前面に結露する。
【０００４】
そこで、特許文献１では、冷房時には、熱交換器１３に付着した凝縮水は熱交換器１３の下部に設置した露受け皿１５に集めて屋外へ排出する。一方、仕切り板６の下端部は露受け皿１５の前方外側に設置され、冷房時の仕切り板６での結露発生を防止するために結露防止断熱部材９を仕切り板６の前面に貼り付けている。
【特許文献１】特開２００５−１５６０４９号公報
【発明の開示】
【発明が解決しようとする課題】
【０００５】
しかしながら、特許文献１に示すように従来技術では、仕切り板６の下端部は露受け皿１５の前側に配置されるため、結露防止断熱部材９があるとは云え、仕切り板６の前面に付着した結露水は露受け皿１５に入ることなく、空気調和機本体１の内側を伝って流出してしまうおそれがある。
【０００６】
特許文献１に示すように従来技術では、結露水の流出を防止するため、仕切り板への結露を防止する必要があり、仕切り板に大きな結露防止断熱部材を貼り付けるなどして対処しているため、露付き防止設計、露付き試験費用および断熱部材費用が必要であり、また、組み立て工数が増えるため、高価な空気調和機となるといった課題を有していた。
【０００７】
本発明の目的は、空気調和機において仕切り板の結露防止断熱部材類を廃止または簡略化しても結露水の流出を防止でき、露付き防止設計やその試験費用、断熱部材費用、組み立て工数を削減して安価な空気調和機を提供することにある。
【課題を解決するための手段】
【０００８】
前記課題を解決するために、本発明は主として次のような構成を採用する。  
熱交換器と、前記熱交換器に風を送る送風機と、前記熱交換器に対向して設けられた仕切り板と、前記熱交換器の下部に凝縮水を受ける露受け皿と、を備えた空気調和機であって、
前記仕切り板は、その下部が前記露受け皿の内側に入り込むように配置され、
前記露受け皿は、前記熱交換器に付着した凝縮水を受けるとともに、前記仕切り板に発生する結露水を受ける構成とする。
【０００９】
また、空気調和機において、前記仕切り板には、前記仕切り板で発生する結露水を前記露受け皿に導くための樋を設ける構成とする。
【発明の効果】
【００１０】
本発明によると、仕切り板に付着した結露水を確実に露受け皿に導くことにより、仕切り板の結露防止断熱部材を廃止または簡略化することができる。これによって、露付き防止設計や露付きの試験費用、断熱部材費用、および組み立て工数の低減を図ることができ、安価な空気調和機を提供することができる。
【発明を実施するための最良の形態】
【００１１】
本発明の実施形態に係る空気調和機について、図１と図２を参照しながら以下説明する。図１は本発明の実施形態に係る空気調和機の構成とその配置を示す側面図である。図２は本実施形態に係る空気調和機における仕切り板の構成例を示す正面図である。
【００１２】
図１と図２において、１は空気調和機本体、２は吸い込み口、３は吹き出し口、５は前面パネル、６は仕切り板、６ａ，６ｂ，６ｃは樋、１０はケーシング、１１はモータ、１２は送風機、１３は熱交換器、１５は露受け皿、をそれぞれ表す。
【００１３】
図１において、仕切り板６は熱交換器１３によって熱交換された空気と熱交換されていない前面パネル５側の空気とを仕切る仕切り板であり、空気調和機本体１の側面ケースにねじ固定されている（固定の一例として）。また、露受け皿１５は、一例として、空気調和機本体１の側面ケースにねじ固定されていて、露受け皿１５で受けられた結露水は、皿底部に設けられたドレンパイプを介してホースによって屋外に排出されるようになっている。
【００１４】
本実施形態に係る空気調和機の特徴は、仕切り板６の下端部が露受け皿１５の前方内側に入り込む構成となっていることであり、この構成によって、仕切り板６に付着した結露水を確実に露受け皿１５に導くことができ、結露水が空気調和機本体１の内部に流出することを防止するものである。
【００１５】
本実施形態では、仕切り板１６に結露防止断熱部材を設ける必要はなく、また、結露防止を十全に果たす断熱部材を設ける必要はない。したがって、仕切り板への結露防止断熱部材を廃止または簡略化することができる。
【００１６】
次に、本実施形態に係る空気調和機における仕切り板の構成例を図２を参照して説明する。本実施形態に関する仕切り板の構成は、仕切り板６の前面に樋６ａ，６ｂ，６ｃを設けた構造である。この構造によって、仕切り板６の上部に付着した結露水が落下する速度を抑え、露受け皿１５に落下し水が跳ねて露受け皿１５の外に飛び出すことを防止し、結露水を確実に露受け皿１５に導くことができる。このように、結露水が流出することを防止することにより、仕切り板６の結露防止断熱部材を廃止または簡略化することができる。
【００１７】
図２において、樋６ａは仕切り板６の前面側に傾斜して設けられ結露水の落下速度を抑えており、樋６ｃは樋６ａからの結露水を受け止めて露受け皿１５に導くためのものである。樋６ｂ仕切り板６の側縁部を伝って落ちてくる結露水を受け止めて露受け皿１５に導くためのものである。
【００１８】
以上説明したように、本発明の実施形態に係る空気調和機は、仕切り板の下端部が露受け皿の中に入る構造とし、結露水を確実に露受け皿に導くことにより、結露水が流出することを防止することができる。また、仕切り板に複数の樋を設けることで、仕切り板の上側に付いた結露水が落下する速度を抑え、露受け皿に落下し水が跳ねて露受け皿の外に飛び出すことを防止し、結露水を確実に露受け皿に導くことにより、結露水が流出することを防止することができる。
【図面の簡単な説明】
【００１９】
【図１】本発明の実施形態に係る空気調和機の構成とその配置を示す側面図である。
【図２】本実施形態に係る空気調和機における仕切り板の構成例を示す正面図である。
【図３】従来技術における空気調和機の概略構成を示す側面図である。
【符号の説明】
【００２０】
１  空気調和機本体
２  吸い込み口
３  吹き出し口
５  前面パネル
６  仕切り板
６ａ，６ｂ，６ｃ  樋
９  結露防止断熱部材
１０  ケーシング
１１  モータ
１２  送風機
１３  熱交換器
１５  露受け皿
【図１】
2007071513.tif 000003
【図２】
2007071513.tif 000004
【図３】
2007071513.tif 000005